(57)【要約】  【課題】ワイヤーを用いなくても、エアコンの室外機を常に安定良く固定でき、しかも安価に実現可能とすることにある。  【解決手段】エアコン室外機の上面に帯板を重ねてあり、エアコン室外機の天板幅より大きい位置に設けたアンカー連結手段にアンカーを連結し、エアコン室外機の天板幅より大きい位置において、前記帯板の幅方向に延びたアームを設けてネジ孔を開けて前記室外機の側面に取付けてある。の固定構造である。【選択図】図１
2020197338.tif 000002
【特許請求の範囲】
【請求項１】
エアコン室外機の上面に重ねる帯板から成り、
その一端には、エアコン室外機の天板より外側の位置において、アンカー連結手段を設けてあり、
その他端には、エアコン室外機の天板幅より大きい位置において、前記帯板の幅方向に延びたアームにネジ孔を開けてあり、しかも上部には前記帯板の幅より大きい窪みを有することを特徴とするエアコン室外機の固定具。
【請求項２】
エアコン室外機の上面に帯板を重ねてあり、
エアコン室外機の天板幅より大きい位置に設けたアンカー連結手段にアンカーを連結し、
エアコン室外機の天板幅より大きい位置において、前記帯板の幅方向に延びたアームを設けてネジ孔を開けて前記室外機の側面に取付けたことを特徴とするエアコン室外機の固定構造。
【請求項３】
前記帯板の他端に設けたアーム上部の窪みに、隣接した帯板を嵌入させてあり、嵌入させた状態で、隣接帯板のアンカー連結手段にアンカーを連結したことを特徴とする請求項２に記載のエアコン室外機の固定構造。
【請求項４】
前記アンカー手段と前記帯板のアンカー連結手段との間に非弾性体のスペーサーとターンバックルを介在させたことを特徴とする請求項２又は請求項３に記載のエアコン室外機の固定構造。
【請求項５】
エアコン室外機の天板と前記帯板との間に弾性体を挟んだ構造としたことを特徴とする請求項２、請求項３又は請求項４に記載のエアコン室外機の固定構造。
【発明の詳細な説明】
【技術分野】
【０００１】
本発明は、エアコン室外機の固定装置に関する。
【背景技術】
【０００２】
エアコンの室外機を安定良く固定するには、特許文献１のようにバルコニーの下面に吊り下げる構造が多い。バルコニーの上面に固定する場合は、特許文献２のように風避けの壁などが有っても十分では無く、安定性の良い固定構造が期待されている。また、ワイヤーで固定する構造も有るが、錆びると断線する危険が有り、好ましく無い。
【先行技術文献】
【特許文献】
【０００３】
【特許文献１】特開平10-19308号
【０００４】
【特許文献２】特開平９−257278号
【発明の概要】
【発明が解決しようとする課題】
【０００５】
本発明の技術的課題は、このような問題に着目し、ワイヤーを用いなくても、エアコンの室外機を常に安定良く固定でき、しかも安価に実現可能とすることにある。
【課題を解決するための手段】
【０００６】
本発明の技術的課題は次のような手段によって解決される。請求項１は、エアコン室外機の上面に重ねる帯板から成り、
その一端には、エアコン室外機の天板より外側の位置において、アンカー孔のような連結手段を開けてあり、
その他端には、エアコン室外機の天板幅より大きい位置において、前記帯板の幅方向に延びたアームにネジ孔を開けてあり、しかも上部には前記帯板の幅より大きい隣接帯板の嵌入用の窪みを有することを特徴とするエアコン室外機の固定具である。
【０００７】
請求項２は、エアコン室外機の上面に帯板を重ねてあり、
エアコン室外機の天板幅より大きい位置に設けたアンカー連結手段にアンカーを連結し、
エアコン室外機の天板幅より大きい位置において、前記帯板の幅方向に延びたアームを設けてネジ孔を開けて前記室外機の側面に取付けたことを特徴とするエアコン室外機の固定構造である。
【０００８】
請求項３は、前記帯板の他端に設けたアーム上部の窪みに、隣接した帯板を嵌入させてあり、嵌入させた状態で、隣接帯板のアンカー孔にアンカーを連結したことを特徴とする請求項２に記載のエアコン室外機の固定構造である。
【０００９】
請求項４は、前記アンカー手段と前記帯板のアンカー孔との間に非弾性体のスペーサーとターンバックルを介在させたことを特徴とする請求項２又は請求項３に記載のエアコン室外機の固定構造である。
【００１０】
請求項５は、エアコン室外機の天板と前記帯板との間に弾性体を挟んだ構造としたことを特徴とする請求項２、請求項３又は請求項４に記載のエアコン室外機の固定構造である。
【発明の効果】
【００１１】
請求項１の固定具は、エアコン室外機の上面に重ねる帯板から成り、その一端には、エアコン室外機の天板より外側の位置において、アンカー孔を開けてある。そして他端には、エアコン室外機の天板幅より大きい位置において、前記帯板の幅方向に延びたアームにネジ孔を開けてあり、しかもアーム上部には前記帯板の幅より大きい隣接帯板の嵌入用の窪みを有すので、室外機の側面に帯板の他端側をネジ止め固定した状態で、隣接した帯板の一端側をアンカー固定できる。その結果、ネジ止め部が緩んだり外れたりしても、アンカーで引っ張られた帯板で常に押さえられており、固定が安定し安心である。
【００１２】
請求項２のように、エアコン室外機の天板幅より大きい位置において、前記帯板の幅方向に延びたアームを設けてネジ孔を開けて前記室外機の側面に帯板を取付け固定できる。そして、エアコン室外機の上面に前記帯板を重ねた状態で、エアコン室外機の天板幅より大きい位置に設けたアンカー孔にアンカーを連結し固定することで、エアコン室外機を安定良く固定できる。
【００１３】
請求項３のように、前記帯板の他端に設けたアーム上部の窪みに、隣接帯板を嵌入させた状態で、隣接帯板のアンカー孔にアンカーを連結固定できる。従って、一対の隣接した帯板を用いれば、エアコン室外機の両側でアンカー固定でき、より安定する。
【００１４】
請求項４のように、前記アンカー手段と前記帯板のアンカー孔との間に非弾性体のスペーサーとターンバックルを介在させるので、前記ターンバックルで張力を調整でき、各部品の間隔は前記スペーサーで保持できる。
【００１５】
請求項５のように、前記のエアコン室外機の上面に用いる帯板と前記エアコン室外機の上面との間に弾性体を挟んで重ねた構造にすると、ゴム板などの弾力で振動が吸収される。
【図面の簡単な説明】
【００１６】
【図１】本発明によるエアコン室外機の固定具で固定した室外機の上方斜視図である。
【図２】図１の固定具の使い方を示す拡大斜視図である。
【図３】図１の固定具の全容を示す上方斜視図である。
【発明を実施するための形態】
【００１７】
次に本発明によるエアコン室外機の固定構造が実際上どのように具体化されるか実施形態を説明する。図１は本発明によるエアコン室外機の固定具で固定した室外機の上方斜視図であり、図２は、図１の固定具の使い方を示す拡大斜視図であり、図３は、図１の固定具の全容を示す上方斜視図である。
図１のように、本発明の固定具は、エアコン室外機１の上面１ｕに重ねて使用する帯板２から成り、その一端には、エアコン室外機１の天板３より外側の位置において、アンカー孔４を開けてある。その他端には、エアコン室外機の天板幅Ｗより大きい位置において、前記帯板２の幅方向に延びたアームＡにネジ孔Ｈを開けてある。しかも上部には、前記の帯板２の幅より大きい窪み５を有しており、この窪み５に、隣接する帯板２が入る。前記のような帯板２に付随して、長さ調節用のネジ式のターンバックル６と固定構造の帯板から成る連結板７を有している。アンカー用のボルトや連結用のボルトナットを有しているが、市販の品で足りる。
【００１８】
本発明の固定具でエアコン室外機の固定方法を説明する。最も安定した固定方法は、図１に示したように、前後を左右両側にアンカー手段で引っ張って土間やベランダなどに固定する。先ず、図２のように、エアコン室外機１の天板３の上面１ｕに１枚の帯板２を重ねてから、アームＡのネジ孔ＨにネジＳを螺入して室外機１の上部側壁に固定する。次に、もう１枚の帯板２を逆向きに隣接させたて、前記同様にそのアームＡのネジ孔ＨにネジＳを螺入して室外機１の上部側壁に固定する。こうして、２枚の帯板２、２を互い違いに配置して、アームＡ、Ａをネジ止めした状態で、図２のように、アーム上部の窪み５、５に隣接する帯板２、２を嵌め込んで、先に固定したアンカーに、前記連結板７をボルトナット連結し、更にターンバックル６を介在させる。そして、ターンバックル６のネジを調節しながら、室外機１の左右のバランスを調節しながら、室外機１の手前を固定する。次に、同様にして、室外機１の後方に１対の帯板２、２を室外機天板３に重ねて固定する。最後に、室外機１の後方も左右のバランスを調節しながら、固定する。
【００１９】
このように、エアコン室外機の上面に重ねる帯板から成り、その一端にはアンカー孔を開けてあり、他端には前記帯板の幅方向に延びたアームにネジ孔を開け、アーム上部には前記帯板の幅より大きい窪みを有するので、室外機の側面に帯板の他端側をネジ止め固定した状態で、隣接した帯板の一端側をアンカー固定できる。その結果、ネジ止め部が緩んだり外れたりしても、アンカーで引っ張られた帯板で常に押さえられており、固定が安定し安心である。
【００２０】
エアコン室外機は、内部の回転体やコンプレッサーの動作に伴って、振動するので、この振動で連結部が緩んだりしないように、天板３と前記帯板２との間にゴムなどの弾性体を挟んだ構造にすると好都合である。
なお、連結板７には、複数の調節穴を１列に開けて、任意の長さで切断し、長さ調節が容易で、穴を開けて軽量化できる効果も奏する。この連結板７は、非弾性体であり、スペーサーサとして機能する。
図１では、室外機１の前後を左右がバランスするように左右両側にアンカー手段を設けてあるが、片方だけにして簡易構造にすることも可能である。
【産業上の利用可能性】
【００２１】
以上のように、エアコン室外機の前後左右をアンカー手段で、土間やベランダ等に安定良く固定でき、従来のように、古くなってワイャーが切れたり、安定が劣化する懸念が無い。特に、隣接する２組みの固定具を用いるが、各固定具は同じ構成であるため、安価となり、取付け固定方法も簡略化できる。
【符号の説明】
【００２２】
１  エアコン室外機
１ｕ  エアコン室外機の上面
２  帯板
３  天板
４  アンカー孔
Ｗ  天板幅
Ａ  アーム
Ｈ  ネジ孔
５  窪み
６  長さ調節用のネジ式のターンバックル
７  固定構造の帯板状の連結板
Ｓ  ネジ
【図１】
2020197338.tif 000003
【図２】
2020197338.tif 000004
【図３】
2020197338.tif 000005